(57)【要約】【課題】筐体内の密閉空間に設けられたマイクを用いて通話する際の通話品質を従来よりも向上し得るマスクを提供する。【解決手段】マスクは、装着者の口を含む顔面に接し、密閉空間を構成する筐体と、密閉空間と連通し装着者の口で呼吸をするための吸排気部と、密閉空間に設けられているマイクと、を備え、筐体の壁部材の一部が、前記密閉空間の容積変化を伴って移動する可動性材料により形成されている。【選択図】図１
2018169433.tif 000002
【特許請求の範囲】
【請求項１】
装着者の口を含む顔面に接し、密閉空間を構成する筐体と、
前記密閉空間と連通し前記装着者の口で呼吸をするための吸排気部と、
前記密閉空間に設けられているマイクと、を備え、
前記筐体の壁部材の一部が、前記密閉空間の容積変化を伴って移動する可動性材料により形成されているマスク。
【請求項２】
前記密閉空間は、前記顔面に接する前記筐体の第１部材で覆われた第１空間と、前記第１空間に連通するとともに、前記筐体の第２部材で覆われた第２空間と、を備え、前記第２部材が、前記可動性材料により形成され、前記マイクが前記第２空間に設けられている請求項１記載のマスク。
【請求項３】
前記顔面に接する前記筐体の壁部材の一部、または、前記可動性材料により形成された前記筐体の壁部材の一部は、空間を介した多層構造である請求項１記載のマスク。
【請求項４】
前記空間の一部が減圧されている請求項３記載のマスク。
【請求項５】
前記マイクは、前記装着者の口と対置しない位置に設けられている請求項１−４のいずれか１項に記載のマスク。
【請求項６】
前記吸排気部が、開口径よりも延伸方向の寸法が長いチューブ、または、開口断面の寸法よりも通気方向の寸法が長いトンネル状の通気構造を備える請求項１−５のいずれか１項に記載のマスク。
【請求項７】
前記筐体が、前記装着者の鼻孔を覆わないように構成されている請求項１−６のいずれか１項に記載のマスク。
【請求項８】
前記筐体および前記装着者の鼻孔を覆っている通気性部材を備える請求項７記載のマスク。
【請求項９】
前記マイクにより集音された音声情報を送信する送信機を備える請求項１−８のいずれか１項に記載のマスク。
【発明の詳細な説明】
【技術分野】
【０００１】
本開示はマスクに関する。
【背景技術】
【０００２】
小型通信機器の普及に伴い、ライフスタイルの変化が著しい。例えば、通信機能の向上により、生活のあらゆるシーンで得られる情報が増え、通信機器を通じた情報交換の機会が増加している。そして、通信機器ユーザー間の情報交換の一形態として、文字情報または画像を用いた通信は一対一、特定グループ内、不特定多数間といった様々な拡がりを見せている。
【０００３】
また、小型通信機器を用いた音声通信による、いわゆる会話についても利便性および通話品質を高めるために、通信機器本体および周辺機器の改良が行われている。
【０００４】
ところで、通信機器の長時間使用による健康上の問題、通信機器で発生する電波によるペースメーカー、院内医療機器、交通制御装置に対する不具合が指摘されている。
【０００５】
また、公共空間における着信音、通話のマナーに関する規制についても論議される機会が増えている。
【０００６】
そこで、公共空間などでの通話に際して、外部への音漏れを軽減する遮音性マスクがすでに提案されている。
【０００７】
例えば、特許文献１には、マスクを二重構造にし、マスク内の音声が内側と外側の間の通気路により減衰されて、外部に漏れにくくなるマスク構造が提案されている。具体的には、外郭通気口を下方に、内郭通気口を上方に設けることにより通気路を長くして、内郭通気口から外郭通気口に抜ける音声、特に、低周波−中域周波数の音声を減衰（減音）しやすくする構成が開示されている。また、マスク内の送話器（例えば、マイク）で音声を感知することなども開示されている。
【０００８】
特許文献２には、呼吸用パイプが、軟質の塩化ビニル樹脂で構成され、息抜き孔に連結されたマスク本体の下部側から左右方向に分かれてマスク本体の側部に沿って上方に延び、その配管状態が、マスク本体の外面側から内面側に向かって折り返された折り返し片部によって保持されるマスク構造が提案されている。これにより、息抜き孔からマスク本体の外部に抜け出す音声が、その息抜き孔に連通せられた呼吸用パイプ内を伝播する際の減衰作用によって弱められるので周囲に拡がることはなく、通話の秘密が守られる。
【０００９】
特許文献３には、潜水用レギュレーターの二次減圧弁に、逆止弁を備えたマウスマスクを取付け、二次減圧弁内部と浸水防止器内部、水中マイクロフォン内部、水中スピーカ内部および増幅器内部の各空間を通気管で連結し、通話機器の耐圧要求を軽減することが開示されている。
【００１０】
特許文献４には、遮音性のマスク内部にマイクを取り付けて通話する際に、通気路を折り返すように構成することで通気路を伝播する音声の減衰効果を向上させることが開示されている。
【先行技術文献】
【特許文献】
【００１１】
【特許文献１】特開２００６−２２２８７７号公報
【特許文献２】特開平７−２７３８５２号公報
【特許文献３】特開２００６−１１１２０７号公報
【特許文献４】特開２０１７−３９６８公報
【発明の概要】
【発明が解決しようとする課題】
【００１２】
しかし、従来例は、筐体内の密閉空間に設けられたマイクを用いて通話する際の通話品質の向上については十分に検討されていない。
【００１３】
本開示の一態様（aspect）は、このような事情に鑑みてなされたものであり、高い遮音性を保ったまま、筐体内の密閉空間に設けられたマイクを用いて通話する際の通話品質を従来よりも向上し得るマスクを提供する。
【課題を解決するための手段】
【００１４】
上記課題を解決するために、本開示の一態様のマスクは、装着者の口を含む顔面に接し、密閉空間を構成する筐体と、前記密閉空間と連通し前記装着者の口で呼吸をするための吸排気部と、前記密閉空間に設けられているマイクと、を備え、前記筐体の壁部材の一部が、前記密閉空間の容積変化を伴って移動する可動性材料により形成されている。
【発明の効果】
【００１５】
本開示の一態様のマスクは、高い遮音性を保ったまま、筐体内の密閉空間に設けられたマイクを用いて通話する際の通話品質を従来よりも向上し得るという効果を奏する。
【図面の簡単な説明】
【００１６】
【図１】図１は、実施形態のマスクの一例を示す図である。
【図２】図２は、実施形態のマスクの一例を示す図である。
【図３】図３は、実施形態のマスクの一例を示す図である。
【図４】図４は、実施形態のマスクのマニホールドの一例を示す図である。
【図５】図５は、実施形態の第１変形例のマスクの一例を示す図である。
【図６】図６は、実施形態の第２変形例のマスクの一例を示す図である。
【図７】図７は、実施形態の第３変形例のマスクの一例を示す図である。
【図８】図８は、実施形態の第４変形例のマスクに用いる吸排気部の一例を示す図である。
【発明を実施するための形態】
【００１７】
筐体内の密閉空間に設けられたマイクを備えるマスクを用いて公共施設などで通話する場合、かかるマスクには、外部への音漏れを適切に抑制し得る遮音性能が要求されると同時に、通話品質に優れた明りょうな通話が行える性能が要求される。
【００１８】
ここで、本密閉空間にマイクを内蔵した場合、一般に、マスクの遮音性を高めるとマスクの集音状態が大きく変化する。この場合、例えば、音の反響、音のこもり感が強くなる傾向がある。
【００１９】
そこで、発明者らは、高い遮音性を保ったまま、筐体内の密閉空間に設けられたマイクを備えるマスクを用いて通話する際の通話品質の向上について鋭意検討を行い、音の反響、音のこもり感の強弱が、本筐体の材料と密接に関係することを見出した。
【００２０】
すなわち、本開示の第１の態様のマスクは、このような知見に基づいて案出できたものであり、装着者の口を含む顔面に接し、密閉空間を構成する筐体と、密閉空間と連通し装着者の口で呼吸をするための吸排気部と、密閉空間に設けられているマイクと、を備え、筐体の壁部材の一部が、前記密閉空間の容積変化を伴って移動する可動性材料により形成されている。
【００２１】
以上の構成によれば、本態様のマスクは、高い遮音性を保ったまま、筐体内の密閉空間に設けられたマイクを用いて通話する際の通話品質を従来よりも向上し得る。つまり、装着者の通話における音声音圧の推移により、可動性材料で形成された筐体が変形することで、筐体内の密閉空間の容積が変化する。すると、筐体の壁部材での音声の反射が低減され、音の反響、音のこもり感が弱まるので、本態様のマスクは、高い通話品質を確保し得る。
【００２２】
本開示の第２の態様のマスクは、第１の態様のマスクにおいて、上記の密閉空間が、装着者の顔面に接する筐体の第１部材で覆われた第１空間と、第１空間と連通し、筐体の第２部材で覆われた第２空間と、を備え、第２部材が可動性材料により形成され、マイクが第２空間に設けられていてもよい。
【００２３】
以上の構成によれば、筐体内の密閉空間のうち、装着者の通話における音声音圧の推移により容積が変化しやすい第２空間にマイクを設けているので、第１空間にマイクが設けられるマスクに比べて、本態様のマスクは、高い通話品質を確保し得る。
【００２４】
本開示の第３の態様のマスクは、第１の態様のマスクにおいて、装着者の顔面に接する筐体の壁部材（以下、第１部材）の一部、または、可動性材料により形成された筐体の壁部材（以下、第２部材）の一部は、空間を介した多層構造であってもよい。
【００２５】
以上の構成によれば、第１部材または第２部材の空間において遮音性が高まるので、これらの壁部材の振動による音漏れの音量を軽減することができる。また、外部の雑音レベルが高い場合でも、外部の雑音がマスクの内側に伝播する場合の上記の空間における遮音効果により、装着者の声量を大きくせずに、明りょうな通話を行い得る。
【００２６】
本開示の第４の態様のマスクは、第３の態様のマスクにおいて、空間の一部が減圧されていてもよい。
【００２７】
以上の構成によれば、第１部材または第２部材の空間を減圧状態（例えば、真空）にすることで、空間において音の伝播が遮断されるので、これらの壁部材の振動による音漏れの音量を更に軽減することができる。
【００２８】
本開示の第５の態様のマスクは、第１の態様−第４の態様のいずれかのマスクにおいて、マイクは、装着者の口と対置しない位置に設けられていてもよい。
【００２９】
以上の構成によれば、マイクが風切り音を拾うことを抑制できる。よって、装着者の口と対置するようにマイクを設ける場合に比べて、マスクの通話品質が向上する。
【００３０】
本開示の第６の態様のマスクは、第１の態様−第５の態様のいずれかのマスクにおいて、吸排気部は、開口径よりも延伸方向の寸法が長いチューブ、または、開口断面の寸法よりも通気方向の寸法が長いトンネル状の通気構造を備えてもよい。
【００３１】
以上の構成によれば、細長いチューブ、または、細長いトンネル状の通気構造における音声の減衰効果により、音漏れの音量を軽減することができる。
【００３２】
本開示の第７の態様のマスクは、第１の態様−第６の態様のいずれかのマスクにおいて、筐体が、装着者の鼻孔を覆わないように構成されていてもよい。
【００３３】
以上の構成によれば、マスクの長時間使用の場合でも、マスクの快適な装着性を維持することができる。
【００３４】
本開示の第８の態様のマスクは、第７の態様のマスクにおいて、筐体および装着者の鼻孔を覆っている通気性部材を備えていてもよい。
【００３５】
以上の構成によれば、通気性部材が装着者の鼻孔を覆うことにより、装着者の鼻孔への外気中のホコリおよび花粉などの侵入を抑制することができる。
【００３６】
本開示の第９の態様のマスクは、第１の態様−第８の態様のいずれかのマスクにおいて、マイクにより集音された音声情報を送信する送信機を備えていてもよい。
【００３７】
以上の構成によれば、第１の態様−第８の態様のいずれかのマスクに、通話機能が付与される。
【００３８】
以下、本開示の実施形態について、図面を参照しながら具体的に説明する。なお、以下で説明する実施形態は、いずれも包括的または具体的な例を示すものである。よって、以下の実施形態で示される数値、形状、材料、構成要素、構成要素の配置位置および接続形態などは、一例であり、本開示を限定する主旨ではない。また、以下の実施形態における構成要素のうち、最上位概念を示す独立請求項に記載されていない構成要素については、任意の構成要素として説明される。また、図面において、同じ符号が付いたものは、説明を省略する場合がある。また、図面は理解しやすくするために、それぞれの構成要素を模式的に示したもので、形状および寸法比などについては正確な表示ではない場合がある。
【００３９】
（実施形態）
図１、図２および図３は、実施形態のマスクの一例を示す図である。図１には、装着者５０の口に装着されたマスク１００の正面図（装着者５０の顔面と向き合う図）が示されている。図２には、図１のマスク１００のＡ−Ａ部の断面図が示されている。図３には、図１のマスク１００のＢ−Ｂ部の断面図が示されている。なお、便宜上、図１では、装着者５０の図示が省略されており、図２および図３では、装着者５０が二点鎖線で図示されている。
【００４０】
本実施形態のマスク１００は、筐体１０と、吸排気部２０と、マイク３０と、送信機４０と、を備える。
【００４１】
筐体１０は、装着者５０の口を含む顔面に接し、密閉空間１１を構成する部材である。筐体１０は、装着者５０の口を含む顔面に接し、密閉空間１１を構成する部材であれば、どのような構成であってもよい。
【００４２】
吸排気部２０は、密閉空間１１と連通し装着者５０の口で呼吸をするためのものである。吸排気部２０は、密閉空間１１と連通し装着者５０の口で呼吸をするためのものであれば、どのような構成であってもよい。
【００４３】
マイク３０は、筐体１０内の密閉空間１１に設けられている。そして、筐体１０の壁部材の一部が、筐体１０の密閉空間１１の容積変化を伴って移動する可動性材料（例えば、軟質材料）により形成されている。
【００４４】
本実施形態のマスク１００では、密閉空間１１は、装着者５０の顔面に接する筐体１０の面当てシール部材１０Ａで覆われた第１空間１１Ａと、第１空間１１Ａに連通し、筐体１０の可動壁部材１０Ｂで覆われた第２空間１１Ｂと、を備える。なお、この場合、可動壁部材１０Ｂが、上記の可動性材料により形成されている。また、マイク３０が、第２空間１１Ｂに設けられているが、これに限定されない。例えば、マイク３０は、第１空間１１Ａに設けられていてもよい。
【００４５】
ここで、可動壁部材１０Ｂは、面当てシール部材１０Ａよりも軟質な部材である。筐体１０は、例えば、可動壁部材１０Ｂおよび面当てシール部材１０Ａの材質、厚さなどにより、可動壁部材１０Ｂが面当てシール部材１０Ａよりも軟質性部材であれば、どのような構成であってもよい。なお、面当てシール部材１０Ａおよび可動壁部材１０Ｂの材質、厚さなどの一例は、実施例で説明する。
【００４６】
図１、図２および図３に示すように、面当てシール部材１０Ａは、面当てシール部材１０Ａの端部が装着者５０の口周りの顔面に密着するとともに、中央部が装着者５０の口から前方へ離れるように構成されている。これにより、第１空間１１Ａが、装着者５０の顔面と面当てシール部材１０Ａとの間で形成されている。
【００４７】
なお、マスク１００は、本例の如く、装着者５０の口のみを面当てシール部材１０Ａで覆い、筐体１０により装着者５０の鼻孔を覆わないように構成されてもよい。また、図示を省略するが、装着者５０の口および鼻の両方が、筐体により覆われていてもよい。前者の場合、マスク１００の長時間使用の場合でも、マスク１００の快適な装着性を維持することができる。後者の場合、面当てシール部材１０Ａにより、装着者５０の鼻孔への外気中のホコリおよび花粉などの侵入を抑制することができる。
【００４８】
面当てシール部材１０Ａの中央部（装着者の口と対置する部分）の付近には、開口１４が設けられている。本例では、開口１４は、円形であるが、これに限定されない。
【００４９】
また、開口１４の数は、本例の如く、１個でもよいし、２個以上でもよい。
【００５０】
面当てシール部材１０Ａに形成された開口１４の数が、１個の場合、図２、図３および図４に示すようなマニホールド１８を設けるとよい。
【００５１】
つまり、マスク１００は、第１空間１１Ａと第２空間１１Ｂとの連通および吸排気部２０の接続を行うためのマニホールド１８を備える。マニホールド１８は、面当てシール部材１０Ａと可動壁部材１０Ｂとの間に設けられており、図４に示す如く、有底の円筒状の部材である。図２および図３に示すように、マニホールド１８の環状端部が、上記の開口１４を囲むように面当てシール部材１０Ａの表面に当接している。また、マニホールド１８の円盤状の底部に、第２空間１１Ｂとの連通を行うための連通孔１８Ａが設けられ、マニホールド１８の円筒状の側壁部に、吸排気部２０の接続を行うための接続口１８Ｂが設けられている。
【００５２】
図示を省略するが、面当てシール部材１０Ａに形成された開口の数が、２個の場合、マニホールドを設けずに、これらの開口のうちの一方が、直接、吸排気部２０と接続するとよい。
【００５３】
上記の可動壁部材１０Ｂは、マニホールド１８を覆い得る凹状の部材である。つまり、可動壁部材１０Ｂは、可動壁部材１０Ｂの端部がマニホールド１８を囲むように面当てシール部材１０Ａの表面に当接するとともに、中央部がマニホールド１８から前方へ、有底の筒状に突出するように構成されている。これにより、第１空間１１Ａに連通する第２空間１１Ｂが、マニホールド１８と可動壁部材１０Ｂとの間で形成されている。
【００５４】
本実施形態のマスク１００では、吸排気部２０は、例えば、開口径よりも延伸方向の寸法が長いチューブ２０Ａ（呼吸用のチューブ）を備える。この場合、チューブ２０Ａの基端が、マニホールド１８の接続口１８Ｂと接続されている。チューブ２０Ａは、面当てシール部材１０Ａの表面に接触するとともに、図１に示す正面視において、可動壁部材１０Ｂの円筒内面に沿うようにらせん状に曲げられてから、筐体１０の外部まで延伸している。
【００５５】
このようなチューブ２０Ａを吸排気部２０として用いると、細長いチューブ２０Ａにおける音声の減衰効果により、音漏れの音量を軽減することができる。なお、チューブ２０Ａ内に可とう性のワイヤーまたはコイルを挿入することにより、チューブ２０Ａが折れ曲がることを抑制できる。また、ワイヤーまたはコイルの挿入により、チューブ２０Ａ内での音声反射が複雑になるように、チューブ２０Ａを延伸させることで、チューブ２０Ａから音声が漏れることを更に軽減することができる。なお、チューブ２０Ａの材質および大きさなどの一例は、実施例で説明する。
【００５６】
マイク３０は、上記の通り、筐体１０の第２空間１１Ｂに設けられている。マイク３０により、装着者５０の会話を集音することができる。マイク３０として、例えば、小型無線マイクを用いてもよい。これにより、通話機能付きのマスク１００を簡易に構成することができる。なお、図示を省略するが、マイク３０のＯＮおよびＯＦＦ、音量操作ボタンなどを視認および操作するために筐体１０の壁部材の適所に透明な窓などを設けてもよい。
【００５７】
ここで、図１および図２に示すように、マイク３０は、装着者５０の口と対置しない位置に設けられている。具体的には、図１に示す平面視において、マイク３０は、チューブ２０Ａが形作るらせん状の領域内で、マニホールド１８から横に所定の距離だけ離れた位置の面当てシール部材１０Ａの表面に固定されている。
【００５８】
送信機４０は、マイク３０により集音された音声情報を送信する機器である。送信機４０としては、例えば、公知の有線通信装置または無線通信装置などを用いることができる。送信機４０は、図示しない外部機器（例えば、トランシーバーまたは携帯電話などの通話装置）に音声情報を送信してもよい。これにより、本実施形態のマスク１００に、通話機能が付与される。
【００５９】
なお、本実施形態のマスク１００では、第１空間１１Ａを覆う筐体１０の壁部材全体が、面当てシール部材１０Ａで形成されているが、このような壁部材の一部が、面当てシール部材１０Ａ以外の材料で形成されていてもよい。また、第２空間１１Ｂを覆う筐体１０の壁部材全体が、可動壁部材１０Ｂで形成されているが、このような壁部材の一部が、可動壁部材１０Ｂ以外の材料で形成されていてもよい。
【００６０】
また、マスク１００は、マスク１００を装着者５０の顔面に密着させるための補助部材６０を備えてもよい。補助部材６０として、例えば、面当てシール部材１０Ａの両端部付近に連結された耳かけ用のバンド（例えば、紐状のゴム）を用いることができる。
【００６１】
また、マスク１００の筐体１０の最内面に交換式のパッド（図示せず）を取り付けることができる。このパッドを適時に交換することにより、マスク１００の最内面を常に清潔に保つことができる。
【００６２】
以上により、本実施形態のマスク１００は、高い遮音性を保ったまま、筐体１０内の密閉空間１１に設けられたマイク３０を用いて通話する際の通話品質を従来よりも向上し得る。つまり、装着者５０の通話における音声音圧の推移により、可動性材料で形成された筐体１０が変形することで、筐体１０内の密閉空間１１の容積が変化する。すると、筐体１０の壁部材での音声の反射が低減され、音の反響、音のこもり感が弱まるので、本実施形態のマスク１００は、高い通話品質を確保し得る。
【００６３】
また、筐体１０内の密閉空間１１のうち、装着者５０の通話における音声音圧の推移により容積が変化しやすい第２空間１１Ｂにマイク３０を設けているので、第１空間１１Ａにマイク３０が設けられるマスクに比べて、本実施形態のマスク１００は、高い通話品質を確保し得る。但し、上記のとおり、マイク３０は、第１空間１１Ａに設けられていてもよい。つまり、マイク３０を第１空間１１Ａに設けた場合でも、可動壁部材１０Ｂの存在により、装着者５０の通話における音声音圧の逃げ場を確保することができる。よって、この場合、マスク１００は、筐体１０の壁部材全体をリジッドな材料で形成するマスクに比べて、高い通話品質を確保し得る。
【００６４】
また、装着者５０の口と対置しない位置にマイク３０を設けているので、マイク３０が風切り音を拾うことを抑制できる。よって、装着者５０の口と対置するようにマイク３０を設ける場合に比べて、マスク１００の通話品質が向上する。
【００６５】
なお、マスク１００は、装着者５０が装着する際の負荷軽減、装着者５０の費用負担軽減の観点から、軽量化設計および低コスト化設計が好ましい。そこで、本実施形態のマスク１００は、可動壁部材１０Ｂを、例えば、薄いゴムシートで構成できるので、マスク１００の軽量化を図ることができる。また、マスク１００の通話品質の改良のための電子機器の追加などが不要となるので、マスク１００の軽量化および低コスト化を図ることができる。
【００６６】
（実施例）
以下に、実施例のマスク１００の面当てシール部材１０Ａ、チューブ２０Ａおよび可動壁部材１０Ｂの具体例について説明する。
【００６７】
面当てシール部材１０Ａとして、ショアＡ硬度が６５で、厚さが１ｍｍのニトリルゴムシートを使用した。また、面当てシール部材１０Ａの二片の裁断接着により、図１、図２および図３に示す如く、口の周り、顎と頬の一部にかけて、装着者５０の顔面に密着する密着部（図中の網掛け部参照）を形状した。
【００６８】
チューブ２０Ａとして、様々な材質および形状のチューブを検討した結果、呼吸容易性、遮音性および曲げ容易性から、内径が８ｍｍ、長さが３００ｍｍのシリコンチューブを使用した。シリコンチューブは、曲げ直径が約６０−８０ｍｍ程度のらせん状に曲げられて、面当てシール部材１０Ａの表面上に固定された。なお、シリコンチューブの曲げ形状維持および折れ曲がり抑制のために、シリコンチューブ内に直径２ｍｍのアルミ線（図示せず）を挿入した。
【００６９】
可動壁部材１０Ｂとして、厚みが０．１５ｍｍ程度のラテックスゴムシートを使用した。本例では、このようなラテックスゴムシートを、深さ（円筒部の長さ）が５０ｍｍ程度のコップに成型した。成型コップの開口部の内面に沿ってチューブ２０Ａを延伸させ、チューブ２０Ａおよび面当てシール部材１０Ａとの間で隙間が生じないように成型コップを貼付けて接合した。このとき、成型コップ内の第２空間１１Ｂは、装着者５０の口に対置しない位置に配されたマイク３０を内包するように形成されている。なお、チューブ２０Ａは、終端が第２空間１１Ｂの外部に位置するように延伸させた。これにより、装着者５０の呼吸がスムーズに行われる。
【００７０】
以上の面当てシール部材１０Ａ、チューブ２０Ａおよび可動壁部材１０Ｂは例示であって、本例に限定されない。
【００７１】
＜装着試験結果＞
装着者５０が、実施例のマスク１００を装着したところ、装着者５０の経口呼吸はチューブ２０Ａを介してのみ可能であった。装着者５０の経鼻呼吸については、装着者５０の鼻孔が筐体１０で覆われていない場合、制限を受けなかった。装着者５０の鼻孔が筐体１０で覆われている場合、呼吸は、チューブ２０Ａを介してのみ可能であった。また、チューブ２０Ａによる呼吸制限の息苦しさはあまり感じられなかった。
【００７２】
そして、装着者５０が、筐体１０内の密閉空間１１を経由した呼吸を行うと、可動壁部材１０Ｂの変形および第２空間１１Ｂの容積変化を視認することができた。
【００７３】
次に、装着者５０が、本実施例のマスク１００を装着した状態で、マスク１００の通話試験を行った。その結果、若干の音漏れが生じたが、装着者５０が、マスク１００を装着しなかった場合に比べて、明らかに音漏れの音量が軽減していることを確認できた。また、本実施例のマスク１００では、ほぼ支障がない高い通話品質を確保できた。
【００７４】
なお、マイク３０を装着者５０の口に対置させない方が、マイク３０を対置させる場合に比べて、マイク３０が、風切り音が拾わずにマスク１００の通話品質が向上することが分かった。
【００７５】
但し、装着者５０が、通常より大きな音声で会話を行った場合、音漏れの音量が急に大きくなる現象が認められた。この原因について調べたところ、装着者５０が、大きな音声を発する際に、顔面形状が変化することで面当てシール部材１０Ａと装着者５０の顔面との間で隙間が生じることが、上記現象の大半の原因であることが分かった。
【００７６】
そこで、面当てシール部材１０Ａを意図的に手で押させた状態で、通常より大きな音声で会話を行った。その結果、面当てシール部材１０Ａ、可動壁部材１０Ｂのいずれかを介して、装着者５０の音声が多少漏れていることも分かった。
【００７７】
次に、外部の雑音がある環境下で、本実施例のマスク１００の通話試験を行った。その結果、外部の雑音レベルが高い場合でも、装着者５０の声量を大きくせずに、明りょうな通話を行うことができた。つまり、本実施例のマスク１００は、外部の雑音がマスク１００の内側に伝播する場合の遮音効果を奏することが分かった。
【００７８】
（比較例）
比較例のマスクは、可動壁部材１０Ｂの基材として、上記のラテックスゴムシートの代わりに、ショアＡ硬度が７０で、厚さが０．５ｍｍのニトリルゴムシートを使用したこと以外は、上記の実施例のマスク１００と同様に構成されている。
【００７９】
＜装着試験結果＞
装着者５０が、比較例のマスクを装着したところ、実施例のマスク１００と同様、装着者５０の経口呼吸はチューブ２０Ａを介してのみ可能であった。装着者５０の経鼻呼吸については、装着者５０の鼻孔が筐体１０で覆われていない場合、制限を受けなかった。装着者５０の鼻孔が筐体１０で覆われている場合、呼吸は、チューブ２０Ａを介してのみ可能であった。また、チューブ２０Ａによる呼吸制限の息苦しさはあまり感じられなかった。
【００８０】
しかし、比較例のマスクでは、装着者が、筐体１０内の密閉空間１１を経由した呼吸を行っても、可動壁部材１０Ｂの変形および第２空間１１Ｂの容積変化を視認することができなかった。
【００８１】
次に、装着者５０が、比較例のマスクを装着した状態で、マスクの通話試験を行った。その結果、若干の音漏れが生じたが、装着者５０が、マスクを装着しなかった場合に比べて、明らかに音漏れの音量が軽減していることを確認できた。しかし、比較例のマスクでは、音の反響、音のこもり感が発生した。
【００８２】
装着者５０が、通常より大きな音声で会話を行った場合、実施例のマスク１００と同様、音漏れの音量が急に大きくなる現象が認められた。この原因について調べたところ、実施例のマスク１００と同様、装着者５０が、大きな音声を発する際に、顔面形状が変化することで面当てシール部材１０Ａと装着者５０の顔面との間で隙間が生じることが、上記現象の大半の原因であることが分かった。
【００８３】
次に、外部の雑音がある環境下で、比較例のマスクの通話試験を行った。その結果、外部の雑音レベルが高くなっても、外部の雑音によるマスクの通話品質の影響は少なかったが、音の反響、音のこもり感が生じ、明りょうな通話を行うことができなかった。
【００８４】
＜実施例および比較例の装着試験結果の対比＞
実施例のマスク１００の通話品質が、比較例のマスクに比べて向上する理由は、以下の通りであると判断している。
【００８５】
マイク内蔵型のマスクでは、筐体内の小さな密閉空間にマイクが設けられ、装着者の通話における音声音圧が密閉空間に与えられる。よって、密閉空間を構成する壁部材での音声の反射、音声音圧による密閉空間の圧力上昇などにより、装着者の音声が不明りょう化しやすくなる。
【００８６】
そこで、実施例のマスク１００では、マイク３０を収納する第２空間１１Ｂを囲む壁部材を強固な部材のみで構成せずに、かかる壁部材の一部を、装着者５０の通話における発声音圧の推移に対応して変形する可動性材料（軟質材料）で形成している。よって、この場合、壁部材での音声の反射が低減されると考えられる。また、マイク３０を収納する第２空間１１Ｂの容積が変化するので、音声音圧による密閉空間の圧力上昇が緩和されると考えられる。
【００８７】
本実施例のマスク１００は、上記特徴以外は、実施形態のマスク１００と同様に構成されていてもよい。
【００８８】
（第１変形例）
図５は、実施形態の第１変形例のマスクの一例を示す図である。
【００８９】
本変形例のマスク１００は、可動壁部材１０Ｂの一部が、空間を介した多層構造であること以外は、実施形態または実施形態の実施例のマスク１００と同様に構成されていてもよい。図５では、３層構造の可動壁部材１０Ｂのそれぞれの環状端部のみが、チューブ２０Ａおよび面当てシール部材１０Ａとの間で隙間が生じないように貼付けて接合され、３層構造の可動壁部材１０Ｂのその他の部分は、自然に接触または非接触するのに任せ、貼付接合されていない。つまり、隣り合う可動壁部材１０Ｂ同士の非接触領域には、空間が形成されている。
【００９０】
なお、可動壁部材１０Ｂの積層数は、３層に限定されない。積層数は、２層であってもよいし、４層以上であってもよい。また、上記の空間の一部が減圧されていてもよい。
【００９１】
以上により、本変形例のマスク１００は、可動壁部材１０Ｂの空間において遮音性が高まるので、可動壁部材１０Ｂの振動による音漏れの音量を軽減することができる。また、外部の雑音レベルが高い場合でも、外部の雑音がマスク１００の内側に伝播する場合の上記の空間における遮音効果により、装着者５０の声量を大きくせずに、明りょうな通話を行い得る。また、可動壁部材１０Ｂの空間を減圧状態（例えば、真空）にすることで、この空間において音の伝播が遮断されるので、可動壁部材１０Ｂの振動による音漏れの音量を更に軽減することができる。
【００９２】
＜装着試験結果＞
装着者５０が、本変形例のマスク１００を装着した状態で、マスク１００の通話試験を行った。その結果、可動壁部材１０Ｂの積層数が、２層、３層と増加するに連れて、音漏れの音量が軽減されることを確認できた。なお、装着者５０の呼吸の容易性およびマスク１００の通話品質は、実施例のマスク１００と同様であった。
【００９３】
装着者５０が、通常より大きな音声で会話を行った場合、実施例のマスク１００と同様、音漏れの音量が急に大きくなる現象が認められた。この原因について調べたところ、実施例のマスク１００と同様、装着者５０が、大きな音声を発する際に、顔面形状が変化することで面当てシール部材１０Ａと装着者５０の顔面との間で隙間が生じることが、上記現象の大半の原因であることが分かった。
【００９４】
そこで、面当てシール部材１０Ａを意図的に手で押させた状態で、通常より大きな音声で会話を行った。その結果、面当てシール部材１０Ａ、可動壁部材１０Ｂのいずれかを介して、装着者５０の音声が多少漏れていることも分かった。
【００９５】
次に、外部の雑音がある環境下で、本変形例のマスク１００の通話試験を行った。その結果、可動壁部材１０Ｂの積層数が増加するに連れて、外部の雑音レベルが高い場合でも、装着者５０の声量を大きくせずに、明りょうな通話を行うことができた。つまり、本変形例のマスク１００では、可動壁部材１０Ｂの積層数が増加する程、外部の雑音がマスク１００の内側に伝播する場合の遮音効果が高くなることが分かった。
【００９６】
（第２変形例）
図６は、実施形態の第２変形例のマスクの一例を示す図である。
本変形例のマスク１００は、面当てシール部材１０Ａの一部が、空間を介した多層構造であること以外は、実施形態、実施形態の実施例および実施形態の第１変形例のいずれかのマスク１００と同様に構成されていてもよい。図６では、２層構造の面当てシール部材１０Ａのそれぞれの周辺端部のみが隙間が生じないように貼付けて接合されている。
【００９７】
面当てシール部材１０Ａの第１層（装着者５０の顔面側）としては、ショアＡ硬度が６５で、厚さが１ｍｍのニトリルゴムシートを使用した。面当てシール部材１０Ａの第２層（可動壁部材１０Ｂ側）としては、ショアＡ硬度が７０で、厚さが０．５ｍｍのニトリルゴムシートを使用した。また、面当てシール部材１０Ａの第１層と第２層との間には、約１ｍｍ程度の空気層を介在させた。
【００９８】
なお、面当てシール部材１０Ａの積層数は、２層に限定されない。積層数は、３層以上であってもよい。また、上記の空間の一部が減圧されていてもよい。
【００９９】
以上により、本変形例のマスク１００は、面当てシール部材１０Ａの空間において遮音性が高まるので、面当てシール部材１０Ａの振動による音漏れの音量を軽減することができる。また、外部の雑音レベルが高い場合でも、外部の雑音がマスク１００の内側に伝播する場合の上記の空間における遮音効果により、装着者の声量を大きくせずに、明りょうな通話を行い得る。また、面当てシール部材１０Ａの空間を減圧状態（例えば、真空）にすることで、この空間において音の伝播が遮断されるので、面当てシール部材１０Ａの振動による音漏れの音量を更に軽減することができる。
【０１００】
以上の面当てシール部材１０Ａの第１層および第２層は例示であって、本例に限定されない。
【０１０１】
＜装着試験結果＞
装着者５０が、本変形例のマスク１００を装着した状態で、マスク１００の通話試験を行った。その結果、面当てシール部材１０Ａの積層数が２層にすると、面当てシール部材１０Ａの積層数が１層の場合に比べて、音漏れの音量が軽減されることを確認できた。なお、装着者５０の呼吸の容易性およびマスク１００の通話品質は、実施例のマスク１００と同様であった。
【０１０２】
装着者５０が、通常より大きな音声で会話を行った場合、実施例のマスク１００と同様、音漏れの音量が急に大きくなる現象が認められた。この原因について調べたところ、実施例のマスク１００と同様、装着者５０が、大きな音声を発する際に、顔面形状が変化することで面当てシール部材１０Ａと装着者５０の顔面との間で隙間が生じることが、上記現象の大半の原因であることが分かった。
【０１０３】
そこで、面当てシール部材１０Ａを意図的に手で押させた状態で、通常より大きな音声で会話を行った。その結果、面当てシール部材１０Ａ、可動壁部材１０Ｂのいずれかを介して、装着者５０の音声が僅かに漏れていることが分かったが、通常の会話または通常よりも小さな音声の会話では、装着者５０の音声が漏れることを認められなかった。
【０１０４】
（第３変形例）
図７は、実施形態の第３変形例のマスクの一例を示す図である。
【０１０５】
図７に示すように、本変形例のマスク１００は、通気性部材７０を備える。本変形例のマスク１００は、本特徴以外は、実施形態、実施形態の実施例および実施形態の第１変形例−第２変形例のいずれかのマスク１００と同様に構成されていてもよい。
【０１０６】
通気性部材７０は、筐体１０および装着者５０の鼻孔を覆っているカバーである。通気性部材７０は、通気性を備え、筐体１０および装着者５０の鼻孔を露出させないカバーであれば、どのような構成であってもよい。
【０１０７】
以上により、本変形例のマスク１００は、通気性部材７０が装着者５０の鼻孔を覆うことで、装着者５０の鼻孔への外気中のホコリおよび花粉などの侵入を抑制することができる。また、装着者５０の鼻孔を面当てシール部材１０Ａで覆う必要がないので、マスク１００の長時間使用の場合でも、マスク１００の快適な装着性を維持することができる。更に、通気性部材７０によって、筐体１０が露出しないように構成できるので、マスク１００にファッション性を高めたデザインを付与することができる。
【０１０８】
（第４変形例）
図８は、実施形態の第４変形例のマスクに用いる吸排気部の一例を示す図である。
【０１０９】
実施形態のマスク１００では、吸排気部２０が、開口径よりも延伸方向の寸法が長いチューブ２０Ａを備える例を説明したが、これに限らない。
【０１１０】
吸排気部２０は、図８に示す如く、開口断面の寸法よりも通気方向の寸法が長いトンネル状の通気構造２０Ｂを備えてもよい。図８では、通気構造２０Ｂを、通気方向に鉛直に平面視した図が示されている。このような通気構造２０Ｂは、例えば、樹脂成型で製造し得る。
【０１１１】
図８に示す例では、吸排気口８０Ａが周縁部近傍に形成された円盤状部材８０と、連通口８１Ａが中央部に形成された円盤状部材８１との間に、所定厚さの仕切り壁８２が設けられている。仕切り壁８２はいずれも、平面視において、円盤状部材８０（円盤状部材８１）の中心軸回りに円弧状に形成されている。そして、円周方向に仕切り壁８２が設けられていない部分は、最も内側の仕切り壁８２では、連通口８１Ａと通気路との間の通気部を構成し、それ以外の仕切り壁８２では、動径方向において隣り合う通気路同士の通気部８３を構成している。このようにして、通気構造２０Ｂの通気路は、円盤状部材８０と円盤状部材８１との間において、仕切り壁８２の円弧に沿うように形成されている。
【０１１２】
なお、円盤状部材８１の連通口８１Ａと筐体１０の第１空間１１Ａとの連通は、適宜の接続部材（例えば、チューブ、マニホールドなど）を用いて行うとよい。
【０１１３】
以上により、本変形例のマスク１００は、吸排気部２０としての細長いトンネル状の通気構造２０Ｂにおける音声の減衰効果により、音漏れの音量を軽減することができる。
【０１１４】
本変形例のマスク１００は、上記特徴以外は、実施形態、実施形態の実施例および実施形態の第１変形例−第３変形例のいずれかのマスク１００と同様に構成されていてもよい。
【０１１５】
なお、実施形態、実施形態の実施例および実施形態の第１変形例−第４変形例は、互いに相手を排除しない限り、互いに組み合わせてもよい。
【０１１６】
また、上記説明から、当業者にとっては、本開示の多くの改良および他の実施形態が明らかである。従って、上記説明は、例示としてのみ解釈されるべきであり、本開示を実行する最良の態様を当業者に教示する目的で提供されたものである。本開示の精神を逸脱することなく、その組成、構造および／または機能を実質的に変更できる。
【産業上の利用可能性】
【０１１７】
本開示の一態様は、筐体内の密閉空間に設けられたマイクを用いて通話する際の通話品質を従来よりも向上し得るマスクに利用できる。
【符号の説明】
【０１１８】
１０    ：筐体
１０Ａ  ：面当てシール部材
１０Ｂ  ：可動壁部材
１１    ：密閉空間
１１Ａ  ：第１空間
１１Ｂ  ：第２空間
１４    ：開口
１８    ：マニホールド
１８Ａ  ：連通孔
１８Ｂ  ：接続口
２０    ：吸排気部
２０Ａ  ：チューブ
２０Ｂ  ：通気構造
３０    ：マイク
４０    ：送信機
５０    ：装着者
６０    ：補助部材
７０    ：通気性部材
８０    ：円盤状部材
８０Ａ  ：吸排気口
８１    ：円盤状部材
８１Ａ  ：連通口
８２    ：仕切り壁
８３    ：通気部
１００  ：マスク
【図１】
2018169433.tif 000003
【図２】
2018169433.tif 000004
【図３】
2018169433.tif 000005
【図４】
2018169433.tif 000006
【図５】
2018169433.tif 000007
【図６】
2018169433.tif 000008
【図７】
2018169433.tif 000009
【図８】
2018169433.tif 000010